(57)【特許請求の範囲】
【請求項１】
第１の筐体と第２の筐体とをスライド自在に連結するスライド機構を備えたスライド式携帯端末であって、
上記スライド機構は、
上記第１の筐体の裏面に間隔をあけて設けられた一対のラックと、
上記第１の筐体の裏面に上記各ラックに平行に配置されたローラ当接部と、
上記第２の筐体の表面に設けられ、上記各ラックに噛み合うピニオン及び上記ローラ当接部に当接するローラを両端にそれぞれ有するピニオン軸とを備えている
ことを特徴とするスライド式携帯端末。
【請求項２】
請求項１に記載のスライド式携帯端末において、
上記ローラの外径は、上記ピニオンのピッチ円直径と等しい
ことを特徴とするスライド式携帯端末。
【請求項３】
請求項１又は２に記載のスライド式携帯端末において、
上記ピニオン及びローラは、上記ピニオン軸に一体に成形されている
上記ことを特徴とするスライド式携帯端末。
【請求項４】
請求項３に記載のスライド式携帯端末において、
上記ピニオン軸は、樹脂成形品である
ことを特徴とするスライド式携帯端末。
【請求項５】
請求項４に記載のスライド式携帯端末において、
上記ピニオン軸は、ポリエーテルエーテルケトン樹脂で成形されている
上記ことを特徴とするスライド式携帯端末。
【請求項６】
請求項５に記載のスライド式携帯端末において、
上記ラック及びローラ当接部もポリエーテルエーテルケトン樹脂で成形されている
ことを特徴とするスライド式携帯端末。
【請求項７】
請求項１乃至６のいずれか１つに記載のスライド式携帯端末において、
上記スライド機構は、
上記ピニオン軸を回転可能に支持するピニオン軸支持部及び上記ラック裏面に係合する係合部を有する一対のピニオン側フレームを備えている
ことを特徴とするスライド式携帯端末。
【請求項８】
請求項７に記載のスライド式携帯端末において、
上記スライド機構には、上記第１の筐体が上記第２の筐体に対してスライド移動して該第２の筐体の表面が露出する開き状態において、該第１の筐体を該第２の筐体に対して手前側に近付くように傾ける傾動手段が設けられている
ことを特徴とするスライド式携帯端末。
【請求項９】
請求項８に記載のスライド式携帯端末において、
上記傾動手段は、
上記一対のピニオン側フレームに形成された上記第２の筐体表面側へ突出する突出部と、
上記第２の筐体裏面に上記ラックに平行に凹陥され、上記突出部が移動するガイド溝と、
上記ガイド溝の端部に形成されたテーパ面とで構成されている
ことを特徴とするスライド式携帯端末。
【請求項１０】
請求項１乃至９のいずれか１つに記載のスライド式携帯端末において、
上記第１の筐体における上記一対のラック間には、上記第１の筐体内の第１基板と、上記第２の筐体内の第２基板とを結ぶ信号線が該第１の筐体及び第２の筐体のスライド操作中に移動可能な信号線用凹部が形成され、該信号線用凹部の深さは、該信号線の外径以上である
ことを特徴とするスライド式携帯端末。
【請求項１１】
請求項１乃至１０のいずれか１つに記載のスライド式携帯端末において、
上記第１の筐体は、表示部を備え、
上記第１の筐体の長手方向と、上記ピニオン軸の長手方向とが一致している
ことを特徴とするスライド式携帯端末。
【発明の詳細な説明】
【技術分野】
【０００１】
本発明は、第１の筐体と第２の筐体とをスライド自在に連結するスライド機構を備えたスライド式携帯端末に関するものである。
【背景技術】
【０００２】
従来より、第１の筐体と第２の筐体とをスライド自在に連結し、第１の筐体と第２の筐体とが重なった閉じ状態又は第１の筐体がスライド移動して第２の筐体の表面の一部が露出する開き状態に切換可能なスライド式携帯端末は知られている。
【０００３】
例えば、特許文献１では、表示手段を備えた表示部筐体と操作手段を備えた操作部筐体とがスライド可能に連結されたスライド式携帯端末装置であって、表示部筐体の主面を形成する金属板と、相対的にスライド可能に係合したレール及びフレームとを有し、レールが金属板に溶接により固定され、フレームが操作部筐体に固定されるものが知られている。
【先行技術文献】
【特許文献】
【０００４】
【特許文献１】特開２０１０−１３６２５９号公報
【発明の概要】
【発明が解決しようとする課題】
【０００５】
しかしながら、従来のスライド式携帯端末では、レール及びフレームは、それぞれ左右が連結された剛性の高い金属で平行度を保っているので、軽量化を図っても限界がある。また、表示部筐体が横長構造となると、レール及びフレームの左右を連結する部分が大きくなって質量が増加し、また、レールとフレームとの間でガタが生じやすく、ガタを小さくしようと隙間を小さくすれば、表示部筐体が操作部筐体に対して傾いたときに動きが悪くなるという問題があった。
【０００６】
本発明は、かかる点に鑑みてなされたものであり、その目的とするところは、簡単且つ軽量な構造で、第１の筐体が第２の筐体に対して傾くことなく滑らかにスライド移動させるようにすることにある。
【課題を解決するための手段】
【０００７】
上記の目的を達成するために、この発明では、スライド機構として、両端にピニオンだけでなくローラを有するピニオン軸を設けた。
【０００８】
具体的には、第１の発明では、
第１の筐体と第２の筐体とをスライド自在に連結するスライド機構を備えたスライド式携帯端末を対象とする。
【０００９】
そして、上記スライド機構は、
上記第１の筐体の裏面に間隔をあけて設けられた一対のラックと、
上記第１の筐体の裏面に上記各ラックに平行に配置されたローラ当接部と、
上記第２の筐体の表面に設けられ、上記各ラックに噛み合うピニオン及び上記ローラ当接部に当接するローラを両端にそれぞれ有するピニオン軸とを備えている。
【００１０】
上記の構成によると、ピニオン軸の両端にピニオンを設け、これらのピニオンを一対のラックに噛み合わせるようにしているので、一対のピニオンが同期して回転し、第１の筐体が第２の筐体に対して傾くことなく滑らかにスライドする。しかもピニオン軸には、ローラが連結されているので、第１の筐体に偏った力が加わって第１の筐体が第２の筐体に対して傾こうとしても、ローラとローラ当接部との間で荷重を分担でき、傾きが効果的に防止される。さらにピニオン軸で左右のピニオンが同期して回転して第１の筐体の傾きを防止できるので、第１の筐体の傾きを防止するために従来のようなレール間をつなぐ堅固なフレームが必要なくなると共に、レールに係合する部分のスライド方向の長さを短くできるので、軽量な構成のスライド機構が得られる。
【００１１】
第２の発明では、第１の発明において、
上記ローラの外径は、上記ピニオンのピッチ円直径と等しい構成とする。
【００１２】
上記の構成によると、ピニオンがラック上を回転するときにローラが常にローラ当接部に当接するので、ピニオンとローラとの間で適切に荷重が分担され、第１の筐体が第２の筐体上を滑らかにスライドする。
【００１３】
第３の発明では、第１又は第２の発明において、
上記ピニオン及びローラは、上記ピニオン軸に一体に成形されている。
【００１４】
上記の構成によると、ピニオンがラック上を回転すると、強制的にローラも回転するので、ローラがローラ当接部上で滑らず、第１の筐体が第２の筐体上をさらに滑らかにスライドする。
【００１５】
第４の発明では、第３の発明において、
上記ピニオン軸は、樹脂成形品とする。
【００１６】
上記の構成によると、ピニオン軸は第２の筐体の表面上に延びているが、樹脂成形品であるため、金属の場合のように電波障害を発生させることはない。しかも、樹脂成形品であれば、軽量で成形が容易である。
【００１７】
第５の発明では、第４の発明において、
上記ピニオン軸は、ポリエーテルエーテルケトン樹脂で成形されている。
【００１８】
上記の構成によると、耐摩耗性及び摺動特性に優れたピニオン軸を成形できる。
【００１９】
第６の発明では、第５の発明において、
上記ラック及びローラ当接部もポリエーテルエーテルケトン樹脂で成形されている。
【００２０】
上記の構成によると、ラック及びローラ当接部を有する複雑な形状でも容易に成形でき、耐摩耗性及び摺動特性に優れるので、長期間使用しても滑らかなスライド操作が維持される。
【００２１】
第７の発明では、第１乃至第６のいずれか１つの発明において、
上記スライド機構は、
上記ピニオン軸を回転可能に支持するピニオン軸支持部及び上記ラック裏面に係合する係合部を有する一対のピニオン側フレームを備えている。
【００２２】
上記の構成によると、ピニオン側フレームの係合部がラック裏面に係合することで、第１の筐体が第２の筐体から外れない。また、ピニオン軸を設けることで第１の筐体の第２の筐体に対する傾きが防止されるので、平行度を保つため係合部をスライド方向に長くする必要がなく、軽量なスライド機構が得られる。
【００２３】
第８の発明では、第７の発明において、
上記スライド機構には、上記第１の筐体が上記第２の筐体に対してスライド移動して該第２の筐体の表面が露出する開き状態において、該第１の筐体を該第２の筐体に対して手前側に近付くように傾ける傾動手段が設けられている。
【００２４】
上記の構成によると、傾動手段によって開き状態で第１の筐体が手前に起き上がるので、第１の筐体を見ながら第２の筐体の操作がしやすくなる。
【００２５】
第９の発明では、第８の発明において、
上記傾動手段は、
上記一対のピニオン側フレームに形成された上記第２の筐体表面側へ突出する突出部と、
上記第２の筐体裏面に上記ラックに平行に凹陥され、上記突出部が移動するガイド溝と、
上記ガイド溝の端部に形成されたテーパ面とで構成されている。
【００２６】
上記の構成によると、ピニオン側フレームの突出部がスライド途中にはガイド溝内を移動し、スライド移動終端においてテーパー面に乗り上げて第１の筐体が傾くので、滑らかなスライドを阻害することのない簡単な構成の傾動手段が得られる。
【００２７】
第１０の発明では、第１乃至第９のいずれか１つの発明において、
上記第１の筐体における上記一対のラック間には、上記第１の筐体内の第１基板と、上記第２の筐体内の第２基板とを結ぶ信号線が該第１の筐体及び第２の筐体のスライド操作中に移動可能な信号線用凹部が形成されている。
【００２８】
上記の構成によると、スライド中に信号線が信号線用凹部内を移動するので、信号線がピニオン軸に接触して損傷したり、スライド操作を阻害することはない。
【００２９】
第１１の発明では、第１乃至第１０のいずれか１つの発明において、
上記第１の筐体は、表示部を備え、
上記第１の筐体の長手方向と、上記ピニオン軸の長手方向とが一致している。
【００３０】
上記の構成によると、第１の筐体の長手方向とピニオン軸の長手方向とが一致しているので、ラック間の距離が大きくなり、第１の筐体が第２の筐体に対して傾きやすくなるが、ローラもローラ当接部に常に当接しているので傾きの発生が確実に抑えられ、滑らかなスライド操作が可能である。しかも、一対のピニオン間をピニオン軸で連結しているので、従来のフレーム構造のように連結部を設ける必要がなく、軽量化の効果が大きい。
【発明の効果】
【００３１】
以上説明したように、本発明によれば、第１の筐体の裏面に間隔をあけて一対のラック及びローラ当接部を設け、第２の筐体の表面にピニオン及びローラを両端にそれぞれ有するピニオン軸を設け、一対のピニオンを同期して回転させながらローラをローラ当接部に当接させるようにした。このため、簡単且つ軽量な構造で、第１の筐体を第２の筐体に対して傾くことなく滑らかにスライド移動させることができる。
【図面の簡単な説明】
【００３２】
【図１】図９のＩ部拡大底面図である。
【図２】スライド式携帯電話機の閉じ状態を示す斜視図である。
【図３】スライド式携帯電話機の開き状態を示す斜視図である。
【図４】図２の分解斜視図である。
【図５】図３の正面図である。
【図６】図５のVI−VI線断面図である。
【図７】図５のVII−VII線断面図である。
【図８】開き状態にあるスライド機構を手前側から見た斜視図である。
【図９】図８の底面図である。
【図１０】図８の右側面図である。
【図１１】変形例にかかる閉じ状態にあるスライド機構の一部を拡大して示す斜視図である。
【図１２】変形例にかかる開き状態にあるスライド機構の一部を拡大して示す斜視図である。
【図１３】変形例にかかる第１の筐体の裏面側を示す斜視図である。
【図１４】変形例にかかる第２の筐体の表面側を示す斜視図である。
【発明を実施するための形態】
【００３３】
以下、本発明の実施形態を図面に基づいて説明する。
【００３４】
図２〜図７は本発明の実施形態１のスライド式携帯端末としてのスライド式携帯電話機１を示し、本実施形態の携帯電話機１では、表面に左右に横長の表示部２を有する第１の筐体３と、表面に操作部４を有する第２の筐体５とがスライド機構１０によってスライド自在に連結されている。表示部２は、アクリル板などのカバー２ａで覆われ、液晶ディスプレイであっても有機ＥＬディスプレイであってもよく、タッチパネルであってもよい。図４及び図５に示すように、第１の筐体３が第２の筐体５に対してスライド移動するのを補助する捩りコイルバネ６が第１の筐体３裏面と第２の筐体５表面との間に配置されている。捩りコイルバネ６の一端６ａが第１の筐体３裏面にビス（図示せず）で回転可能に連結され、他端６ｂが第２の筐体５表面の支持ピン６ｃに対して回転可能に連結されている。なお、説明の簡易化のために表示部２の長手方向を左右方向とし、幅方向を上下方向とする。
【００３５】
第１の筐体３内の第１基板７と第２の筐体５の第２基板８とを結ぶ信号線９は、信号線９の外径以上に深く第１の筐体３の裏面に凹陥した信号線用凹部３ａに収容されている（図５及び図１３参照）。
【００３６】
そして、スライド機構１０は一対のラック１１を備え、一対のラック１１は、第１の筐体３の裏面に間隔をあけて設けられている。各ラック１１は、第１の筐体３の左右に形成したラック用凹部３ｂ（図６及び図７参照）に嵌め込まれるラックユニット１２の左右外側に形成されている。図１にも拡大して示すように、ラックユニット１２の左右内側には、ラック１１に平行にローラ当接部１３が配置されている。ラックユニット１２は、ローラ当接部１３の左右内側に第１の筐体３の裏面に取り付けるための貫通孔１２ａを複数有するラック取付部１２ｂを備えている。ローラ当接部１３の表面高さは、ラック１１の基準ピッチ線の高さと等しくなっている。
【００３７】
一方、スライド機構１０は、ピニオン軸３０を備え、このピニオン軸３０は、第２の筐体５の表面に左右に延びるように凹陥したピニオン軸用凹部５ａ（図４及び図７参照）に収容されている。ピニオン軸３０は、両端にラック１１に噛み合うピニオン３１を備え、その左右内側には、ローラ当接部１３に当接するローラ３２をそれぞれ有する。ピニオン３１及びローラ３２は、ポリエーテルエーテルケトン樹脂（ＰＥＥＫ樹脂）によってピニオン軸３０に一体成形されている。このため、耐摩耗性及び摺動特性に優れたピニオン軸３０を容易に成形できると共に、ピニオン軸３０は第２の筐体５の左右略全体に延びているが、樹脂成形品であるため、金属の場合のように電波障害を発生させることはない。そして、ローラ３２の外径は、ピニオン３１のピッチ円直径と等しく設定されている。ラック１１及びローラ当接部１３を含むラックユニット１２もポリエーテルエーテルケトン樹脂で成形されている。このため、金属に比べて複雑な形状のラックユニット１２でも容易に成形でき、軽量であると共に、耐摩耗性及び摺動特性に優れるので、長期間使用しても滑らかなスライド操作が維持される。
【００３８】
ピニオン軸３０は、第２の筐体５上側左右のフレーム用凹部５ｂ（図４に示す）に間隔をあけて取り付けられるピニオン側フレーム３３に回転可能に支持されている。ピニオン側フレーム３３は、例えばステンレス鋼板のプレス成形品よりなり、第２の筐体５表面に取り付けるための貫通孔３３ａを有する。ピニオン側フレーム３３は、左右外側が垂直に手前側（第１の筐体３の裏面側）に折り曲げられ、この折り曲げられた立設部３３ｂにピニオン軸３０の両端の一方を支持するピニオン軸支持部３４が形成されている。立設部３３ｂのスライド方向（上下方向）両端はさらに折り曲げられた係合部３３ｃが形成されている。係合部３３ｃは、ラック１１の裏面の摺動面１１ａに係合し、第１の筐体３が第２の筐体５から外れないようにしている。
【００３９】
次に、本実施形態にかかるスライド式携帯端末の作動について説明する。
【００４０】
まず、図２に示す閉じ状態では、ピニオン３１は、ラック１１の上端位置にある（図４参照）。この状態では、捩りコイルバネ６は自然長又は若干捩った状態にある。
【００４１】
次いで、第１の筐体３のいずれかの部分を捩りコイルバネ６の弾性力に抗して上方へ押し上げると、捩りコイルバネ６が捩られながら、ピニオン３１がラック１１の下方へ移動していく。このとき、第１の筐体３の長手方向とピニオン軸３０の長手方向とが一致しているので、左右のラック１１間の距離が大きく、第１の筐体３が第２の筐体５に対して傾きやすい。しかし、ピニオン軸３０の両端にピニオン３１を設け、これらのピニオン３１を一対のラック１１に噛み合わせるようにしているので、一対のピニオン３１が同期して回転し、第１の筐体３が第２の筐体５に対して傾くことなく滑らかにスライドする。しかもピニオン軸３０には、ローラ３２が連結されてローラ当接部１３に常に当接しているので、第１の筐体３に偏った力が加わって第１の筐体３が第２の筐体５に対して傾こうとしても、ローラ３２とローラ当接部１３との間で荷重を分担でき、傾きが効果的に防止される。また、一対のピニオン３１間をピニオン軸３０で連結しているので、従来のフレーム構造のように堅固な連結部を設けて平行度を保つ必要がなく、また、係合部３３ｃのスライド方向の長さを短くできるので、軽量化の効果が大きい。また、ピニオン３１がラック１１上を回転すると、強制的にローラ３２も回転するので、ローラ３２がローラ当接部上１３で滑らず、第１の筐体３が第２の筐体５上を滑らかにスライドする。なお、スライド中に信号線９が信号線用凹部３ａ内を移動するので、信号線９がピニオン軸３０に接触して損傷したり、スライド操作を阻害することはない。
【００４２】
そして、捩りコイルバネ６における最大捩り角を超えると、捩りコイルバネ６の付勢力により、第１の筐体３が自動的に開き位置まで移動する。このとき、スライド機構１０の作用により、第１の筐体３が傾かずにスムーズにスライドするので、第１の筐体３の開き操作が極めて容易である。
【００４３】
開き状態において、横長の表示部２を見ながら操作部４を操作する。
【００４４】
閉じ状態に戻すには、上記と逆の操作を行う。閉じ位置に戻る際も捩りコイルバネ６の付勢力により、第１の筐体３の閉じ操作が極めて容易である。
【００４５】
したがって、本実施形態にかかるスライド式携帯端末によると、簡単且つ軽量な構造で、第１の筐体３を第２の筐体５に対して傾くことなく滑らかにスライド移動させることができる。
【００４６】
−実施形態の変形例−
図１１〜図１４は本発明の実施形態の変形例を示し、スライド機構１１０の構成が異なる点で上記実施形態と異なる。なお、本変形例では、図１〜図１０と同じ部分については同じ符号を付してその詳細な説明は省略する。
【００４７】
すなわち、スライド機構１１０には、第１の筐体３が第２の筐体５に対してスライド移動して第２の筐体５の表面が露出する開き状態において、第１の筐体３を第２の筐体５に対して手前側に近付くように傾ける傾動手段が設けられている。
【００４８】
具体的に上記実施形態と異なる点について説明すると、まず図１３に示すように、ラック取付部１２ｂよりも左右内側には、ラック１１と平行にガイド溝３ｃが凹陥されている。ガイド溝３ｃのスライド終端（下端）には、ラックユニット１２の左右周縁部に形成された下方に向かって第２の筐体５表面側へ傾斜するテーパ面１２ｃが配置されている。テーパ面１２ｃをガイド溝３ｃの壁面で形成するのではなく、ポリエーテルエーテルケトン樹脂よりなるラックユニット１２に形成することで、テーパ面１２ｃは、耐摩耗性及び摺動特性に優れたものとなっている。
【００４９】
一方、図１４に示すように、ピニオン側フレーム３３の上側（操作部４と反対側）は、左右内側に延長され、その左右内側端部が手前側（第１の筐体３の裏面側）に折り曲げられて第２の筐体表面側へ突出する突出部３５が形成されている。突出部３５の下側は、下方に向かって先細となる形態を有する。突出部３５は、第１の筐体３のガイド溝３ｃ内を移動するように位置付けられている。このように、本変形例では、滑らかなスライドを阻害することのない簡単な構成の傾動手段が得られる。
【００５０】
次いで、本変形例のスライド機構１１０の作用について説明する。
【００５１】
第１の筐体３を第２の筐体５に対して上方へスライド移動させて開き状態へ切り換えるときに、そのスライド移動終端において、テーパ面１２ｃが突出部３５に当接する。すると、第１の筐体３の下端側（ピニオン軸３０周辺）を中心に第１の筐体３が第２の筐体５に対して手前側に近付くように傾動する。
【００５２】
このため、表示部２が適度に傾くので、表示部２を見ながら操作部４の操作がしやすくなる。本変形例では、第１の筐体３を手前側に傾けるために係合部３３ｃを上下で二分割して上側の係合部３３ｃとラック１１の摺動面１１ａとの隙間を大きくしているが、ピニオン軸３０によって左右でピニオン３１が同期して回転しているので、スライド中に第１の筐体３が傾くことはない。
【００５３】
（その他の実施形態）
本発明は、上記実施形態について、以下のような構成としてもよい。
【００５４】
すなわち、上記実施形態では、上記実施形態では、スライド式携帯端末は、スライド式携帯電話機１としたが、スライド式のＰＣ、モバイルツール、電子辞書、電卓、ＰＨＳ、ＰＤＡなどであってもよい。
【００５５】
また、開き状態で第１の筐体３が第２の筐体５の上側のスライド方向終端位置にあるときに、第１の筐体３がピニオン軸３０を中心に回動するように構成してもよい。この場合には、スライド方向終端位置において係合部３３ｃと摺動面１１ａとの係合が解除されるように構成すればよい。この構成によると、開き状態で好みの角度に第１の筐体３を傾けることができる。
【００５６】
なお、以上の実施形態は、本質的に好ましい例示であって、本発明、その適用物や用途の範囲を制限することを意図するものではない。
【産業上の利用可能性】
【００５７】
以上説明したように、本発明は、携帯電話機などの第１の筐体と第２の筐体とをスライド自在に連結するスライド機構を備えたスライド式携帯端末について有用である。
【符号の説明】
【００５８】
１      スライド式携帯電話機（スライド式携帯端末）
３      第１の筐体
３ｃ    ガイド溝（傾動手段）
７      第１基板
８      第２基板
９      信号線
１０      スライド機構
１１      ラック
１２ｃ    テーパ面（傾動手段）
１３      ローラ当接部
３０      ピニオン軸
３１      ピニオン
３２      ローラ
３３      ピニオン側フレーム
３３ｃ    係合部
３４      ピニオン軸支持部
３５      突出部（傾動手段）
１１０      スライド機構
【図１】
0005439321.tif 000002
【図２】
0005439321.tif 000003
【図３】
0005439321.tif 000004
【図４】
0005439321.tif 000005
【図５】
0005439321.tif 000006
【図６】
0005439321.tif 000007
【図７】
0005439321.tif 000008
【図８】
0005439321.tif 000009
【図９】
0005439321.tif 000010
【図１０】
0005439321.tif 000011
【図１１】
0005439321.tif 000012
【図１２】
0005439321.tif 000013
【図１３】
0005439321.tif 000014
【図１４】
0005439321.tif 000015